(57)【特許請求の範囲】
【請求項１】
マークシート方式で解答を行う形式と記述して解答を行う形式の問題が混在した状態の試験問題用の解答用紙を作成するための試験解答用紙作成方法において、コンピュータ上に正答データを入力しておき、該正答データ中に、マークシートの形式の問題に対応する正答データであるか記述式の問題に対応する正答データであるかの属性を示す形式判別文字を付与し、前記形式判別文字によって属性を付与された正答データをコンピュータで読み取り、該読み取った正答データに基づきマークシートの形式の解答欄と記述形式の解答欄とが混在した解答用紙のデータをコンピュータに自動的に生成し、コンピュータに保存するようにしたことを特徴とする試験解答用紙作成方法。
【請求項２】
前記正答データに基づいて、マークシートの形式解答欄と記述形式の解答欄とが混在した解答欄に模範解答の入った解答記入済み解答用紙のデータを自動的に生成し、コンピュータに保存するようにしたことを特徴とする請求項１に記載の試験解答用紙作成方法。
【請求項３】
前記形式判別文字は、マークシート形式と記述形式の各解答欄生成プログラムにリンクした制御信号に対応し、コンピュータが前記形式判別文字を読み取ると、前記制御信号にリンクした解答欄生成プログラムにより、コンピュータに前記解答用紙のデータが生成されるようにした請求項１に記載の試験解答用紙作成方法。
【請求項４】
前記記述形式の解答欄の寸法を、対応する正答データの文字数に応じて自動調整するようにしたことを特徴とする請求項１に記載の試験解答用紙作成方法。
【請求項５】
マークシート方式で解答を行う形式と記述して解答を行う形式の問題が混在した状態の試験問題用の解答用紙を作成するためのコンピュータソフトウエアであって、
コンピュータを、
マークシート形式か記述形式かの属性を付与するための形式判別文字を含む正答データを作成するための文書作成手段、
前記正答データ中の形式判別文字を読み取り、該文字をマークシート形式又は記述形式を特定するものとして認識する形式判別手段、
前記正答データに基づいて、マークシートの形式解答欄と記述形式の解答欄とが混在した解答用紙のデータを自動的に作成する解答用紙生成手段
として機能させたことを特徴とするコンピュータソフトウエア。
【請求項６】
マークシート方式で解答を行う形式と記述して解答を行う形式の問題が混在した状態の試験問題の採点を支援するための試験採点支援方法において、コンピュータ上に正答データを入力して、正答データ中に、マークシートの形式の問題に対応する正答データであるか記述式の問題に対応する正答データであるかの属性を示す形式判別文字を付与し、前記形式判別文字によって前記属性を付与された正答データをコンピュータで読み取り、該読み取ったデータに基づきマークシートの形式の解答欄と記述形式の解答欄とが混在した解答用紙と、これらの解答欄に正答データが模範解答として記入された解答記入済み解答用紙のデータをコンピュータに自動的に生成し、採点を行うとき、解答者の記入した解答用紙を読み取り、記述式の採点において、前記コンピュータの採点画面に記述式の模範解答と解答者の解答を並列して表示するようにしたことを特徴とする試験採点支援方法。
【請求項７】
前記形式判別文字は、マークシート形式と記述形式の各解答欄生成プログラムにリンクした制御信号に対応し、コンピュータが前記形式判別文字を読み取ると、前記制御信号にリンクした解答欄生成プログラムにより、コンピュータに前記解答用紙のデータが生成されるようにした請求項６に記載の試験採点支援方法。
【請求項８】
前記記述形式の解答欄の寸法を、対応する正答データの文字数に応じて自動調整するようにしたことを特徴とする請求項６に記載の試験採点支援方法。
【請求項９】
前記記述形式の正答データにキーワードを付記し、前記採点画面に、該キーワードを表示し、解答者の解答の中の前記キーワードの有無に基いて採点に重み付けを行うことができるようにしたことを特徴とする請求項６に記載の試験採点支援方法。
【請求項１０】
前記記述形式の正答データに配点の数値を付記し、前記採点画面に、該配点の数値を表示するようにしたことを特徴とする請求項６に記載の試験採点支援方法。
【請求項１１】
前記コンピュータを複数用意し、これらを互いにネットワークを介して接続し、各コンピュータで試験問題に関する上記処理を行うことができるようにしたことを特徴とする請求項６に記載の試験採点支援方法。
【請求項１２】
マークシート方式で解答を行う形式と記述して解答を行う形式の問題が混在した状態の試験問題の採点を支援するためのコンピュータソフトウエアであって、
コンピュータを、
マークシート形式か記述形式かの属性を付与するための形式判別文字を含む正答データを作成するための文書作成手段、
前記正答データ中の形式判別文字を読み取り、該文字をマークシート形式又は記述形式を特定するものとして認識する形式判別手段、
前記正答データに基づいて、マークシートの形式解答欄と記述形式の解答欄とが混在した解答用紙と解答欄に模範解答の入った解答記入済み解答用紙のデータを自動的に作成する解答用紙生成手段、
前記記述形式の採点画面に記述式の模範解答と読み込んだ解答者の解答を並列して表示させる解答並列表示手段
として機能させたことを特徴とするコンピュータソフトウエア。
【発明の詳細な説明】
【技術分野】
【０００１】
本発明は、マークシート方式で解答を行う形式と記述して解答を行う形式の問題が混在した状態の試験問題の解答用紙と解答記入済みの解答用紙を自動的に作成することができるようにするとともに、試験の採点を効率的且つ高精度に行うことができるようにした試験解答用紙作成方法及び試験採点支援方法及び該方法に用いられるコンピュータソフトウエアに関する。
【背景技術】
【０００２】
コンピュータソフトウエアを用いて、マークシート答案用紙を作成したり、あるいは記述式の解答に対して自動的に採点を行う自動採点システムが従来知られている（例えば特許文献１参照）。また、言語解析手段を用いて記述式の解答に対してより適切な採点を自動的に行うことができる自動採点システムが従来知られている（例えば特許文献２参照）。
【先行技術文献】
【特許文献】
【０００３】
【特許文献１】特開２００７−２３３８８８号公報
【特許文献２】特開２００１−５６６３４号公報
【発明の概要】
【発明が解決しようとする課題】
【０００４】
従来、コンピュータによる自動採点方式を採用する場合、マークシート形式の問題と、記述形式の問題を別々に作成し、これら形式の異なる問題ごとに解答を作成する方式が一般的であった。そのため、記述形式とマークシート形式の混在した試験問題に関しては、その解答用紙や模範解答の入った解答用紙の作成や、採点を効率的に行うことができないという問題点があった。また、記述問題は採点する先生により同じ解答でも採点にバラつきが発生してしまう傾向があった。
本発明は、上記問題点を解決することを目的とするものである。
【課題を解決するための手段】
【０００５】
上記目的を達成するため、本発明は、マークシート方式で解答を行う形式と記述して解答を行う形式の問題が混在した状態の試験問題用の解答用紙を作成するための試験解答用紙作成方法において、コンピュータ上に正答データを記載しておき、該正答データ中に、マークシートの形式の問題に対応する正答データであるか記述式の問題に対応する正答データであるかを示す形式判別文字を付記し、前記形式判別文字によって属性を付与された正答データをコンピュータで読み取り、該読み取った正答データに基づきマークシートの形式の解答欄と記述形式の解答欄とが混在した解答用紙のデータをコンピュータに自動的に生成し、コンピュータに保存するようにしたことを特徴とする。
また本発明は、前記正答データに基づいて、マークシートの形式解答欄と記述形式の解答欄とが混在した解答欄に模範解答の入った解答記入済み解答用紙のデータを自動的に生成し、コンピュータに保存するようにしたことを特徴とする。
また本発明は、マークシート方式で解答を行う形式と記述して解答を行う形式の問題が混在した状態の試験問題用の解答用紙を作成するためのコンピュータソフトウエアであって、
コンピュータを、
マークシート形式か記述形式かの属性を付与するための形式判別文字を含む正答データを作成するための文書作成手段、
前記正答データ中の形式判別文字を読み取り、該文字をマークシート形式又は記述形式を特定するものとして認識する形式判別手段、
前記正答データに基づいて、マークシートの形式解答欄と記述形式の解答欄とが混在した解答用紙のデータを自動的に作成する解答用紙生成手段
として機能させたことを特徴とする。
また本発明は、マークシート方式で解答を行う形式と記述して解答を行う形式の問題が混在した状態の試験問題の採点を支援するための試験採点支援方法において、コンピュータ上に正答データを記載して、正答データ中に、マークシートの形式の問題に対応する正答データであるか記述式の問題に対応する正答データであるかを示す形式判別文字を付記し、前記形式判別文字によって属性を付与された正答データをコンピュータで読み取り、該読み取ったデータに基づきマークシートの形式の解答欄と記述形式の解答欄とが混在した解答用紙と、これらの解答欄に正答データが模範解答として記入された解答記入済み解答用紙のデータをコンピュータに自動的に生成し、採点を行うとき、解答者の記入した解答用紙を読み取り、記述式の採点において、前記コンピュータの採点画面に記述式の模範解答と解答者の解答を並列して表示するようにしたことを特徴とする。
また本発明は、前記形式判別文字は、マークシート形式と記述形式の各解答欄生成プログラムにリンクした制御信号に対応し、コンピュータが前記形式判別文字を読み取ると、前記制御信号にリンクした解答欄生成プログラムにより、コンピュータに前記解答用紙のデータが生成されるようにしたものである。
また本発明は、前記記述形式の解答欄の寸法を、対応する正答データの文字数に応じて自動調整するようにしたことを特徴とする。
また本発明は、前記記述形式の正答データにキーワードを付記し、前記採点画面に、該キーワードを表示し、解答者の解答の中の前記キーワードの有無に基いて採点に重み付けを行うことができるようにしたことを特徴とする。
また本発明は、前記記述形式の正答データに配点の数値を付記し、前記採点画面に、該配点の数値を表示するようにしたことを特徴とする。
また本発明は、前記コンピュータを複数用意し、これらを互いにネットワークを介して接続し、各コンピュータで試験問題に関する上記処理を行うことができるようにしたことを特徴とする。
また本発明は、マークシート方式で解答を行う形式と記述して解答を行う形式の問題が混在した状態の試験問題の採点を支援するためのコンピュータソフトウエアであって、
コンピュータを、
マークシート形式か記述形式かの属性を付与するための形式判別文字を含む正答データを作成するための文書作成手段、
前記正答データ中の形式判別文字を読み取り、該文字をマークシート形式又は記述形式を特定するものとして認識する形式判別手段、
前記正答データに基づいて、マークシートの形式解答欄と記述形式の解答欄とが混在した解答用紙と解答欄に模範解答の入った解答記入済み解答用紙のデータを自動的に作成する解答用紙生成手段、
前記記述形式の採点画面に記述式の模範解答と読み込んだ解答者の解答を並列して表示させる解答並列表示手段
として機能させたことを特徴とするものである。
【発明の効果】
【０００６】
本発明は、問題作成時、マークシート方式で解答を行う形式と記述して解答を行う形式の混在が可能であり、作成した問題文を基に解答用紙と模範解答用紙を自動的に作成することができる。また、採点時にキーワードによる重み付けを採用することにより、採点のバラつきを防ぐことができる。また、模範解答データと受験者による解答を並べて表示するので精度の高い効率的な採点が可能となる。また、マークシート形式、記述形式を個々に指定するので、マークシート形式、記述形式の解答の並び順を交互などの任意に設定をすることができる。
【図面の簡単な説明】
【０００７】
【図１】本発明の機能ブロック説明図である。
【図２】本発明の説明図である。
【図３】本発明の説明図である。
【図４】本発明の説明図である。
【図５】本発明の説明図である。
【図６】本発明の説明図である。
【図７】本発明のシステムブロック説明図である。
【図８】本発明の説明図である。
【発明を実施するための形態】
【０００８】
以下に本発明の実施の形態を添付した図面を参照して詳細に説明する。
図７，８は、コンピュータを構成要素とする試験解答用紙作成及び採点支援システムのハードウエアの概略構成を示している。図８はコンピュータ２に直接に光学式マーク読み取り装置（ＯＭＲ）８やプリンタ６を接続したシステムの形態を示している。コンピュータ２には、本システムを稼働する記述形式混在マークシート自動作成プログラム及び試験採点支援プログラム（以下プログラムと略称する）がインストールされ、プリンタ６や光学式マーク読取装置（ＯＭＲ）８などの外部機器が接続している。
【０００９】
図７はネットワーク等を介してコンピュータ２、ファイルサーバ１０，などを接続したシステムの形態を示しており、ネットワーク方式のシステムでは、サーバ１０に、本システムを稼働する記述形式混在マークシート自動作成プログラム及び試験採点支援プログラム（以下プログラムと略称する）がインストールされ、また、ネットワーク４に光学式マーク読取装置（ＯＭＲ）８やプリンタ６などの外部機器が接続している。本システムに使用される各コンピュータ２は適宜なグループウエアで管理されたネットワーク４に接続している。記述形式混在マークシート自動作成機能及び試験採点支援機能を有するコンピュータ２が複数台ネットワーク４により接続されたシステムでは、各コンピュータ２毎に、問題作成や解答作成及び採点作業を処理することができるようになっている。各コンピュータ２で処理されたデータは、ファイルサーバ１０に保管されるように構成されている。
【００１０】
図１は、記述形式混在マークシート自動作成処理及び採点支援処理の機能ブロック説明図を示している。図１中、処理Ｓ１は、コンピュータ２を使用した問題作成及び解答作成処理を示している。教師等の、コンピュータ２のユーザーは、コンピュータ２にインストールされている文書作成ソフトを操作して、図２，３に示すように記述式と選択式（マークシート方式にて解答）が混在した問題本文１２，１４と、正答データ１６，１８をテキスト形式やＰＤＦ形式など任意の形式で作成する。なお、プログラムにて最初から提供されているフォーマットを使用して問題本文１２，１４と正答データ１６，１８を作成しても良い。
【００１１】
正答データ１６，１８には、問題本文１２，１４中の問題の番号を特定する記載２０と、設問が記述形式問題かマークシート形式問題かをコンピュータに認識させるための制御記号にリンクした形式表示文字２２，２４を記載し、それぞれに正答２６，２７及び模範解答文２８、配点、採点に重み付けを与えるキーワード３０等を記入する。前記形式表示文字２２は、””で囲まれて記載され、””内の文字が特殊記号にリンクされていることをプログラムに認識させるように構成されている。形式表示文字２２，２４はコンピュータで認識できるものであれば数字や符号、記号など何でも良いが、実施例では解りやすくするために複数の文字を使用して表している。
【００１２】
プログラムは、上記問題本文１２，１４と正答データ１６，１８をコンピュータ２のメモリに読み込み（処理Ｓ２）、これらのデータを保存する（処理Ｓ３）。コンピュータ２には、予め、プログラムによって、解答欄が空欄の答案用紙３２と、解答入り答案用紙３４と、問題用紙３６の各フォームが設定されている。プログラムは、読み込まれた問題本文１２，１４と正答データ１６，１８に基づき、前記フォームを使用して、問題用紙３６と、答案用紙３２，３４の各データを作成する。
【００１３】
問題用紙のフォームには、問題本文１２，１４のテキストデータがそのままコピーされ、問題用紙３６のプリント用データが生成される。また、解答欄空欄の答案用紙３２のプリント用データは、プログラムが、正答データ１６，１８を読み込みこれらを処理し所定の手順に従って生成される。プログラムは、正答データ１６中の「問題１」の記載を検出すると、タイトル表示部３８を「１」として、問題を特定する。次に、”記述”を検出すると、記述形式解答欄４０を生成する。次に、正答データ１６の「（一）の答えは、”二十”」の記載を読み取り、”二十”の文字量を判断して、記述形式解答欄４０の行方向の寸法を決める。
【００１４】
解答欄４０の上に「一」を記入し、また、解答欄４０の中の上に、正答データ１６中の「ア」の記載（図示省略）に基いて、「ア」を記入して、解答欄４０を対応する問題に特定する。
次に、正答データ１６中の「”記述”」２２を検出すると、記述形式解答欄４０に続けて、記述形式解答欄４２を生成し、次に正答データ１６中の「（一）の答えは”三”」の記載を読み取り、この記載の文字量を判断して、記述形式解答欄４２の寸法を決め、更に、正答データ１６中の「イ」の記載（図示省略）に基いて、該解答欄４２の中の上に「イ」を記入して解答欄４２を問題１の一の（イ）に特定する。
【００１５】
プログラムは、次に、”マーク四択”を検出すると、記述形式解答欄４０，４２の左側の、隣接する行に、選択形式解答欄４４を生成し、この選択形式解答欄４４の上に、正答データ１６中の、「（二）の答えは」の記載に基いて、問題の番号「二」を記入して、問題を特定する。また、選択形式解答欄４４に記入する文字１，２，３，４及びそれぞれに付された○は、正答データ１６中の記載（図示省略）を読み取って、所定のフォームに従って配列し、選択形式解答欄４４を生成する。なお”マーク四択”の四択を検出して選択形式解答欄４４に記入する○を４つ発生させ（”マーク二択”の場合には２つ発生など）、その上部に正答データ１６中の記載（図示省略）を読み取って、１，２，３，４を付するようにしても良い。
【００１６】
次に、正答データ１８中の、”記述”２２を検出すると、プログラムは、選択形式解答欄４４の左側に模範解答文２８の文字量に対応した記述解答欄４６を生成する。記述解答欄４６の横の文字４８，５０は、正答データ１８中の記載（図示省略）に基いて記入する。また、この文字４８，５０は、ユーザーがキーボードから入力するようにしても良い。模範解答用紙３４は、記述形式解答欄４０，４２に、正答データ１６，１８が自動的に挿入され、選択形式解答欄４４も同様に正答データ１６中の記載に基いて、自動的に解答の黒丸印が付けられる。また記述解答欄４６には正答データ１８の記載に基づいて自動的にデータが挿入される。なお問題用紙３６、空欄の答案用紙３２，解答入り答案用紙３４はユーザーが任意に挿入する文字などの編集ができるようにしておくと良い。その場合は空欄の答案用紙３２に関しては、解答欄の位置情報は変更ができないように制限をつけた状態で編集ができるようにしておく。
【００１７】
作成された答案用紙３２，３４のデータは、コンピュータ２によってプリンター６からプリントアウトされ（処理Ｓ４，Ｓ５）、プリントされた答案用紙３２が試験に使用される。プログラムは、選択式解答欄４４、記述形式解答欄４６の自動位置認識機能を備え、解答用紙作成時に、選択式解答欄、記述問題解答欄の位置情報を保持し、採点時の解答用紙のＯＭＲによるイメージ読み込み時にこの位置を自動で判別する。
【００１８】
また、解答欄４０，４２，４４，４６の開始位置情報（ｘ１，ｙ１）と終了位置（ｘ２，ｙ２）、また、答案用紙３２のシートの読み取り誤差を吸収するため、シートの原点位置もコンピュータのメモリに保持しておく。試験が行われ答案用紙３２に生徒により答えが記入されると（処理Ｓ６）、次に採点処理に移行する。記入済みの答案用紙３２は、ＯＭＲ８でコンピュータ２に読み込まれる（処理Ｓ７）。
【００１９】
コンピュータ２を、選択式の採点モードにすると、コンピュータ２は、正答データ１６中の選択式採点データ（正答）２７を読み出し（処理８）、これと、記入済み答案用紙の選択欄のＯＭＲ読み取りデータを比較し、黒く塗られ選択された解答用紙にて指定されている位置情報とコンピュータに保存されている選択式採点データ（正答）の位置情報により、正誤の判断を自動的に行い（処理Ｓ９）、答案データと正答データと採点のデータを画面に表示する（処理Ｓ１０）。
【００２０】
記述形式の採点を行う場合にはコンピュータ２を記述形式採点モードとする。このモードになると、コンピュータは、図６に示すように、記述形式採点データ即ち模範解答５２と記述式判断基準即ちキーワード３０をメモリから呼び出し（処理１１，１２）、且つ、記入済み答案用紙のＯＭＲ読み取りデータをメモリから呼び出し、その中から位置の情報により記述式解答欄がある場所のイメージデータをそのまま取り出して、これらを、記述形式採点モードのコンピュータ画面５４に並べて表示する（処理Ｓ１３）。
【００２１】
テスト採点者は、画面５４に表示された、問題作成時に入力した正答データ（模範解答）５２と、答案用紙３２の記述形式解答欄４６の記述部分４６’を並べた状態で判断を行い採点を行う。その際にはキーワード３０による重み付けによる加点など考慮して調整点を決定する（処理Ｓ１４）。コンピュータが集計結果表示モードに移行すると、記述採点結果と選択式採点結果とが呼び出され（処理Ｓ１５，１６）、これらが結合され（処理Ｓ１７）、結果集計画面に選択式と記述式の合計の点数が表示される（処理Ｓ１８）。
【符号の説明】
【００２２】
２      コンピュータ
４      ネットワーク
６      プリンター
８      ＯＭＲ
１０    ファイルサーバ
１２    問題本文
１４    問題本文
１６    正答データ
１８    正答データ
２０    記載
２２    形式表示文字
２４    形式表示文字
２６    正答
２７    正答
２８    模範解答文
３０    キーワード
３２    答案用紙
３４    答案用紙
３６    問題用紙
３８    タイトル表示部
４０    記述形式解答欄
４２    記述形式解答欄
４４    選択形式解答欄
４６    記述形式解答欄
４８    文字
５０    文字
５２    模範解答
５４    画面
５６    記述
【図１】
0005877662.tif 000002
【図２】
0005877662.tif 000003
【図３】
0005877662.tif 000004
【図４】
0005877662.tif 000005
【図５】
0005877662.tif 000006
【図６】
0005877662.tif 000007
【図７】
0005877662.tif 000008
【図８】
0005877662.tif 000009